【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
システムであって、
第１の光源であって、前記第１の光源が組織に入射すると、組織を撮像する際に使用するための信号を提供するように構成される第１の光源と、
第２の光源であって、前記第２の光源が組織に入射すると、組織を凝固させるように構成される第２の光源と、
第３の光源であって、前記第３の光源が組織に入射すると、組織の分子結合を破壊するように構成される第３の光源と、
を備える、システム。
【請求項２】
前記第３の光源は、ダイオードレーザシードファイバ増幅源である、請求項１に記載のシステム。
【請求項３】
前記ダイオードシードファイバ増幅源は、１８００ｎｍ〜２２００ｎｍの波長範囲内のエネルギーを放出するように構成される、請求項２に記載のシステム。
【請求項４】
前記ダイオードシードファイバ増幅源は、あるパルスプロファイル、パルスエネルギー、およびパルス繰り返し率を有するエネルギーを放出するように構成される、請求項２に記載のシステム。
【請求項５】
前記パルスプロファイル、パルスエネルギー、およびパルス繰り返し率のうちの少なくとも１つは、組織除去率を調節するように制御されることができる、請求項４に記載のシステム。
【請求項６】
前記第３の光源は、可変半導体レーザシードファイバ増幅源である、請求項１に記載のシステム。
【請求項７】
前記可変半導体レーザシードファイバ増幅源は、１８００ｎｍ〜２２００ｎｍの波長範囲内のエネルギーを放出するように構成される、請求項６に記載のシステム。
【請求項８】
前記可変半導体レーザシードファイバ増幅源は、あるパルスプロファイル、パルスエネルギー、およびパルス繰り返し率を有するエネルギーを放出するように構成される、請求項６に記載のシステム。
【請求項９】
前記パルスプロファイル、パルスエネルギー、およびパルス繰り返し率のうちの少なくとも１つは、組織除去率を調節するように制御されることができる、請求項８に記載のシステム。
【請求項１０】
前記第３の光源が組織に入射すると、前記第３の光源は、前記第２の光源によって凝固された組織の分子結合を破壊するように構成される、請求項１に記載のシステム。
【請求項１１】
前記第３の光源が組織に入射すると、前記第３の光源は、組織のタンパク質の四次構造を改変するように構成される、請求項１に記載のシステム。
【請求項１２】
前記第１の光源、前記第２の光源、および前記第３の光源は、同一段階において単一ファイバを通して光を放出する、請求項１に記載のシステム。
【請求項１３】
前記単一ファイバは、内視鏡または腹腔鏡の構成要素である、請求項１２に記載のシステム。
【請求項１４】
前記第１の光源、前記第２の光源、および前記第３の光源は、異なる時間において単一ファイバを通して光を放出する、請求項１に記載のシステム。
【請求項１５】
前記単一ファイバは、内視鏡または腹腔鏡の構成要素である、請求項１４に記載のシステム。
【請求項１６】
前記第１の光源から取得された信号は、前記第２の光源および前記第３の光源を配向させる、または位置付けるために使用される、請求項１に記載のシステム。
【請求項１７】
前記第１の光源から取得された信号は、コンピュータプロセッサへの入力である、請求項１６に記載のシステム。
【請求項１８】
前記コンピュータプロセッサは、前記第２の光源および前記第３の光源の配向または位置を制御するために使用される出力データを提供する、請求項１７に記載のシステム。
【請求項１９】
前記第２の光源は、血液によって吸収される波長範囲内のエネルギーを放出するレーザである、請求項１に記載のシステム。
【請求項２０】
前記血液は、オキシヘモグロビン、デオキシヘモグロビン、および水の混合物を含む、請求項１９に記載のシステム。
【請求項２１】
前記血液は、純粋なオキシヘモグロビンを含むヘモグロビンを含有する、請求項１９に記載のシステム。
【請求項２２】
前記血液は、純粋なデオキシヘモグロビンを含むヘモグロビンを含有する、請求項１９に記載のシステム。
【請求項２３】
前記第２の光源は、イッテルビウムファイバレーザである、請求項１に記載のシステム。
【請求項２４】
前記第２の光源は、周波数が倍加されたイッテルビウムファイバレーザである、請求項１に記載のシステム。
【請求項２５】
前記第３の光源は、Ｔｍドープファイバ主発振器電力増幅器（ＭＯＰＡ）である、請求項１に記載のシステム。
【請求項２６】
前記ＴｍドープＭＯＰＡシードレーザは、半導体ダイオードレーザである、請求項２５に記載のシステム。
【請求項２７】
前記シードレーザは、可変レーザである、請求項２５に記載のシステム。
【請求項２８】
前記第２の光源は、３５０ｎｍ〜２２００ｎｍの波長範囲内のエネルギーを放出するように構成される、請求項１に記載のシステム。
【請求項２９】
前記第２の光源は、５３２ｎｍを含む波長範囲内のエネルギーを放出するように構成される、請求項１に記載のシステム。
【請求項３０】
前記第１の光源は、掃引源光コヒーレンス断層撮影光源として構成される、請求項１に記載の装置。
【請求項３１】
前記第１の光源は、広帯域光コヒーレンス断層撮影光源として構成される、請求項１に記載の装置。
【請求項３２】
前記第１の光源は、多重光子発光光源を含む、請求項１に記載の装置。
【請求項３３】
前記第１の光源は、光コヒーレンス断層撮影光源と、多重光子発光光源とを含む、請求項１に記載の装置。
【請求項３４】
前記第２の光源は、前記組織の分子結合を実質的に破壊することなく、少なくとも組織タンパク質の四次構造を修正するために十分な振幅および周波数においてエネルギーを放出するように構成される、請求項１に記載のシステム。
【請求項３５】
前記第３の光源は、組織の分子結合を破壊するために十分な振幅および周波数においてエネルギーを放出するように構成されるレーザである、請求項１に記載のシステム。
【請求項３６】
システムであって、
撮像光源であって、第１の光源が組織に入射すると、組織を撮像する際に使用するためのデータを提供するように構成される撮像光源と、
凝固光源であって、凝固光が組織に入射すると、組織を凝固させるように前記凝固光を放出するように構成される凝固光源と、
結合破壊光源であって、結合破壊光が組織に入射すると、組織の分子結合を破壊するように前記結合破壊光を放出するように構成される結合破壊光源と、
を備える、システム。
【請求項３７】
前記撮像光源は、光コヒーレンス断層撮影光源を含む、請求項３６に記載のシステム。
【請求項３８】
前記撮像光源は、多重光子発光光源を含む、請求項３６に記載のシステム。
【請求項３９】
前記撮像光源は、光コヒーレンス断層撮影光源と、多重光子発光光源とを含む、請求項３６に記載のシステム。
【請求項４０】
前記凝固光および前記結合破壊光は、共通光源から発信する、請求項３６に記載のシステム。
【請求項４１】
前記共通光源は、ダイオードレーザシードファイバ増幅源である、請求項４０に記載のシステム。
【請求項４２】
前記ダイオードレーザシード増幅源は、１８００ｎｍ〜２２００ｎｍの波長範囲内のエネルギーを放出するように構成される、請求項４１に記載のシステム。
【請求項４３】
前記ダイオードシードファイバ増幅源は、あるパルスプロファイル、パルスエネルギー、およびパルス繰り返し率を有するエネルギーを放出するように構成される、請求項４１に記載のシステム。
【請求項４４】
前記パルスプロファイル、パルスエネルギー、およびパルス繰り返し率のうちの少なくとも１つは、組織除去率を調節するように制御されることができる、請求項４３に記載のシステム。
【請求項４５】
前記共通光源は、可変半導体レーザシードファイバ増幅源である、請求項４０に記載のシステム。
【請求項４６】
前記可変半導体レーザシードファイバ増幅源は、１８００ｎｍ〜２２００ｎｍの波長範囲内のエネルギーを放出するように構成される、請求項４５に記載のシステム。
【請求項４７】
前記可変半導体レーザシードファイバ増幅源は、あるパルスプロファイル、パルスエネルギー、およびパルス繰り返し率を有するエネルギーを放出するように構成される、請求項４５に記載のシステム。
【請求項４８】
前記パルスプロファイル、パルスエネルギー、およびパルス繰り返し率のうちの少なくとも１つは、組織除去率を調節するように制御されることができる、請求項４７に記載のシステム。
【請求項４９】
前記結合破壊光源が組織に入射すると、前記結合破壊光源は、前記凝固光源によって凝固された組織の分子結合を破壊するように構成される、請求項３６に記載のシステム。
【請求項５０】
前記凝固光源および前記結合破壊光源は、使用中に同一段階において共通光源から発信する、請求項３６に記載のシステム。
【請求項５１】
前記凝固光源および前記結合破壊光源は、使用中に異なる時間において共通光源から発信する、請求項３６に記載のシステム。
【請求項５２】
前記凝固光源および前記結合破壊光源は、別個の光源から発信する、請求項３６に記載のシステム。
【請求項５３】
組織を操作するためのシステムであって、前記システムは、
組織の第１の部分の初期画像信号を受け取るように構成されるコンピュータプロセッサを備え、第１の光源が、前記組織の第１の部分に入射し、第２の光源が、組織の第２の部分上に位置付けられ、前記第２の光源は、前記組織の第２の部分を凝固させ、組織の第３の部分の分子結合が、光エネルギーを介して破壊される、
システム。
【請求項５４】
前記第１の光源は、光コヒーレンス断層撮影光源を含む、請求項５３に記載のシステム。
【請求項５５】
前記第１の光源は、多重光子発光光源を含む、請求項５３に記載のシステム。
【請求項５６】
前記第１の光源は、光コヒーレンス断層撮影光源と、多重光子発光光源とを含む、請求項５３に記載のシステム。
【請求項５７】
前記組織の第２の部分は、前記組織の第１の部分と、前記組織の第３の部分とを含む、請求項５３に記載のシステム。
【請求項５８】
前記コンピュータプロセッサは、前記第２の光源を前記組織の第２の部分上に位置付けた後、前記組織の第１の部分の分子結合を破壊する前に、前記組織の第１の部分の付加的画像データを受け取る、請求項５３に記載のシステム。
【請求項５９】
前記組織の第３の部分の分子結合を破壊するために使用される光エネルギーは、第３の光源から放出される、請求項５３に記載のシステム。
【請求項６０】
前記第１の光源、前記第２の光源、および前記第３の光源は、単一ファイバを通して光を放出する、請求項６０に記載のシステム。
【請求項６１】
前記単一ファイバは、内視鏡または腹腔鏡の構成要素である、請求項６０に記載のシステム。
【請求項６２】
前記組織の第３の部分の分子結合を破壊するために使用される光エネルギーは、前記第２の光源から放出される、請求項５３に記載のシステム。
【請求項６３】
組織を修正するためのシステムであって、
光エネルギーを組織の第１の部分に指向させるように構成される第１の光源と、
前記組織の第１の部分の画像信号を記録するように構成される検出器と、
光エネルギーを組織の第２の部分に指向させ、前記組織の第２の部分を凝固させるように構成される第２の光源と、
光エネルギーを組織の第３の部分に指向させ、前記組織の第３の部分の分子結合を破壊するように構成される第３の光源と、
を備えるシステム。
【請求項６４】
前記第１の光源は、光コヒーレンス断層撮影光源を含む、請求項６３に記載のシステム。
【請求項６５】
前記第１の光源は、多重光子発光光源を含む、請求項６３に記載のシステム。
【請求項６６】
前記第１の光源は、光コヒーレンス断層撮影光源および多重光子発光光源を含む、請求項６３に記載のシステム。
【請求項６７】
前記組織の第２の部分は、前記組織の第１の部分と、前記組織の第３の部分とを含む、請求項６３に記載のシステム。
【請求項６８】
前記第２の光源および前記第３の光源は、同一の光源である、請求項６３に記載のシステム。
【請求項６９】
組織を修正するためのシステムであって、
第１の光源であって、前記第１の光源が組織の第１の部分に入射するように位置付けられている第１の光源と、
前記組織の第１の部分の初期画像信号を受け取るように構成されるコンピュータプロセッサと、
第２の光源であって、前記第２の光源が組織の第２の部分に入射するように位置付けられ、前記組織の第２の部分を凝固させる第２の光源と、
を備え、組織の第３の部分の分子結合が破壊されるように構成されている、システム。
【請求項７０】
前記第１の光源は、光コヒーレンス断層撮影光源を含む、請求項６９に記載のシステム。
【請求項７１】
前記第１の光源は、多重光子発光光源を含む、請求項６９に記載のシステム。
【請求項７２】
前記第１の光源は、光コヒーレンス断層撮影光源と、多重光子発光光源とを含む、請求項６９に記載のシステム。
【請求項７３】
組織を修正するためのシステムであって、
組織の第１の部分を撮像するための第１の光源と、
光エネルギーを用いて組織の第２の部分を凝固させるための第２の光源と、
光エネルギーを用いて組織の第３の部分の分子結合を破壊するための第３の光源と、
を備えるシステム。
【請求項７４】
前記第１の光源は、光コヒーレンス断層撮影光源を含み、前記組織の第１の部分に向けられている、請求項７３に記載のシステム。
【請求項７５】
前記第１の光源は、多重光子発光光源を含み、前記組織の第１の部分に向けられている、請求項７３に記載のシステム。
【請求項７６】
前記第１の光源は、光コヒーレンス断層撮影光源および多重光子発光光源を含み、前記組織の第１の部分に向けられている、請求項７３に記載のシステム。
【請求項７７】
前記組織の第１の部分、前記組織の第２の部分、および前記組織の第３の部分は、共通組織を含有する、請求項７３に記載のシステム。
【請求項７８】
前記組織の第１の部分は、前記組織の第２の部分と、前記組織の第３の部分とを含む、請求項７３に記載のシステム。
【請求項７９】
前記第２の光源および前記第３の光源は、同一の光源である、請求項７３に記載のシステム。
【請求項８０】
前記第２の光源および前記第３の光源は、異なる光源である、請求項７３に記載のシステム。
【請求項８１】
システムであって、
第１の光源であって、前記第１の光源が組織に入射すると、組織を撮像する際に使用するためのデータを提供するように構成される第１の光源と、
第２の光源であって、前記第２の光源が組織に入射するときの組織を凝固させるように構成され、その分子結合を破壊するように構成される第２の光源と、
を備える、システム。
【請求項８２】
前記第１の光源は、光コヒーレンス断層撮影光源を含む、請求項８１に記載のシステム。
【請求項８３】
前記第１の光源は、多重光子発光光源を含む、請求項８１に記載のシステム。
【請求項８４】
前記第１の光源は、光コヒーレンス断層撮影光源と、多重光子発光光源とを含む、請求項８１に記載のシステム。
【請求項８５】
前記第１の光源および前記第２の光源は、同一段階において単一ファイバを通して光を放出するように構成される、請求項８１に記載のシステム。
【請求項８６】
前記単一ファイバは、内視鏡または腹腔鏡の構成要素である、請求項８５に記載のシステム。
【請求項８７】
前記第１の光源および前記第２の光源は、異なる時間において単一ファイバを通して光を放出するように構成される、請求項８１に記載のシステム。
【請求項８８】
前記単一ファイバは、内視鏡または腹腔鏡の構成要素である、請求項８５に記載のシステム。
【請求項８９】
前記第１の光源から取得されたデータは、前記第２の光源および前記第３の光源を配向させる、または位置付けるために使用される、請求項８１に記載のシステム。
【請求項９０】
前記第１の光源から取得されたデータは、コンピュータプロセッサへの入力である、請求項８９に記載のシステム。
【請求項９１】
前記コンピュータプロセッサは、前記第２の光源の配向または位置を制御するために使用される出力データを提供する、請求項９０に記載のシステム。
【請求項９２】
前記第２の光源は、血液によって吸収される波長範囲内のエネルギーを放出するレーザである、請求項８１に記載のシステム。
【請求項９３】
前記血液は、オキシヘモグロビン、デオキシヘモグロビン、および水の混合物を含む、請求項９２に記載のシステム。
【請求項９４】
前記血液は、純粋なオキシヘモグロビンを含む、請求項９２に記載のシステム。
【請求項９５】
前記血液は、純粋なデオキシヘモグロビンを含む、請求項９２に記載のシステム。
【請求項９６】
前記第２の光源は、ＴｍドープファイバＭＯＰＡである、請求項８１に記載のシステム。
【請求項９７】
前記第２の光源は、可変ＴｍドープファイバＭＯＰＡである、請求項８１に記載のシステム。
【請求項９８】
前記第２の光源は、１９４０ｎｍを含む波長範囲内のエネルギーを放出するように構成される、請求項８１に記載のシステム。
【請求項９９】
前記第２の光源は、４５０ｎｍ〜２２００ｎｍの波長範囲内のエネルギーを放出するように構成される、請求項８１に記載のシステム。
【請求項１００】
前記第１の光源は、掃引源光コヒーレンス断層撮影光源として構成される、請求項８１に記載のシステム。
【請求項１０１】
前記第１の光源は、広帯域光コヒーレンス断層撮影光源として構成される、請求項８１に記載のシステム。
【請求項１０２】
前記第２の光源は、少なくとも組織タンパク質の四次構造を修正するために十分かつ前記組織の分子結合を破壊するために十分な振幅および周波数においてエネルギーを放出するように構成される、請求項８１に記載のシステム。
【請求項１０３】
組織処理システムであって、
組織試料を受容するように構成される、真空補助下処理チャンバと、
前記組織試料を前記真空補助下処理チャンバ内に位置付けるように構成される、第１の微小位置アクチュエータと、
前記組織試料を前記真空補助下処理チャンバ内に位置付けるように構成される、第２の微小位置アクチュエータと、
前記真空補助下処理チャンバ内の前記組織試料の一部を除去するように構成される、レーザと、
を備える、組織処理システム。
【請求項１０４】
前記レーザは、フェムト秒パルスレーザである、請求項１０３に記載の組織処理システム。
【請求項１０５】
前記第１の微小位置アクチュエータおよび前記第２の微小位置アクチュエータは、相互に直交する、請求項１０３に記載の組織処理システム。
【請求項１０６】
前記組織処理チャンバは、リン酸緩衝食塩水を備える、請求項１０３に記載の組織処理システム。
【請求項１０７】
前記組織処理チャンバは、光学的に透明なウィンドウを備える、請求項１０３に記載の組織処理システム。
【請求項１０８】
前記組織処理チャンバは、使い捨てである、請求項１０３に記載の組織処理システム。
【請求項１０９】
前記組織処理チャンバは、前記第１の微小位置アクチュエータの係合のための水密シールを形成するために、第１の自己シール隔壁を備え、
前記組織処理チャンバは、前記第２の微小位置アクチュエータの係合のための水密シールを形成するために、第２の自己シール隔壁を備える、
請求項１０３に記載の組織処理システム。
【請求項１１０】
前記第１の微小位置アクチュエータは、前記第１の自己シール隔壁を穿刺するように構成される針を備え、
前記第２の微小位置アクチュエータは、前記第２の自己シール隔壁を穿刺するように構成される針を備える、
請求項１０９に記載の組織処理システム。
【請求項１１１】
前記第１の微小位置アクチュエータは、第１のステッパモータに結合され、
前記第２の微小位置アクチュエータは、第２のステッパモータに結合される、
請求項１０３に記載の組織処理システム。
【請求項１１２】
前記第１および第２のステッパモータは、前記真空補助下処理チャンバ内で前記組織試料を回転させるように動作させられることができる、請求項１１１に記載の組織処理システム。
【請求項１１３】
組織を分析するための方法であって、
真空補助下器具を介して検体から採取された組織試料を正圧流体チャネルを通して組織処理チャンバに輸送することと、
前記組織試料からある切片を切断することと、
前記切片に多重光子発光−光コヒーレンス断層撮影（ＭＰＬ−ＯＣＴ）光学アッセイを実施することと、
前記ＭＰＬ−ＯＣＴ光学アッセイからのデータを処理することと、
を含む、方法。
【請求項１１４】
前記組織試料を採取することと前記ＭＰＬ−ＯＣＴ光学アッセイからのデータを処理することとの間で経過する時間は、５分を下回る、請求項１１３に記載の方法。
【請求項１１５】
フィールドプログラマブルゲートアレイ（ＦＰＧＡ）が、前記ＭＰＬ−ＯＣＴ光学アッセイから処理する、請求項１１３に記載の方法。
【請求項１１６】
前記ＭＰＬ−ＯＣＴ光学アッセイからのデータを処理することは、前記組織試料の切片内に腫瘍マージンを確立することを含む、請求項１１３に記載の方法。
【請求項１１７】
前記腫瘍マージンを確立することは、前記切片の第１の画像および前記切片の第２の画像をオーバーレイすることを含む、請求項１１６に記載の方法。
【請求項１１８】
前記切片は、約５００μｍの厚さである、請求項１１３に記載の方法。
【請求項１１９】
前記ＭＰＬ−ＯＣＴ光学アッセイは、前記切片の第１の側および前記切片の第２の側に実施される、請求項１１３に記載の方法。
【請求項１２０】
前記組織試料は、体積が１．０〜４．０立方ミリメートルである、請求項１１３に記載の方法。
【請求項１２１】
前記真空補助下器具は、メスに統合される、請求項１１３に記載の方法。
【請求項１２２】
前記真空補助下器具は、焼灼器に統合される、請求項１１３に記載の方法。
【手続補正２】
【補正対象書類名】明細書
【補正対象項目名】００３８
【補正方法】変更
【補正の内容】
【００３８】
本発明の他の目的、特徴、および利点は、以下の発明を実施するための形態から明白となるであろう。しかしながら、本発明の精神および範囲内の種々の変更ならびに修正が、この詳細な説明から当業者に明白となるであろうため、詳細な説明および具体的実施例は、本発明の具体的実施形態を示す一方で、例証のみとして与えられることを理解されたい。
本発明は、例えば、以下を提供する。
（項目１）
システムであって、
第１の光源であって、前記第１の光源が組織に入射すると、組織を撮像する際に使用するための信号を提供するように構成される第１の光源と、
第２の光源であって、前記第２の光源が組織に入射すると、組織を凝固させるように構成される第２の光源と、
第３の光源であって、前記第３の光源が組織に入射すると、組織の分子結合を破壊するように構成される第３の光源と、
を備える、システム。
（項目２）
前記第３の光源は、ダイオードレーザシードファイバ増幅源である、項目１に記載のシステム。
（項目３）
前記ダイオードシードファイバ増幅源は、１８００ｎｍ〜２２００ｎｍの波長範囲内のエネルギーを放出するように構成される、項目２に記載のシステム。
（項目４）
前記ダイオードシードファイバ増幅源は、あるパルスプロファイル、パルスエネルギー、およびパルス繰り返し率を有するエネルギーを放出するように構成される、項目２に記載のシステム。
（項目５）
前記パルスプロファイル、パルスエネルギー、およびパルス繰り返し率のうちの少なくとも１つは、組織除去率を調節するように制御されることができる、項目４に記載のシステム。
（項目６）
前記第３の光源は、可変半導体レーザシードファイバ増幅源である、項目１に記載のシステム。
（項目７）
前記可変半導体レーザシードファイバ増幅源は、１８００ｎｍ〜２２００ｎｍの波長範囲内のエネルギーを放出するように構成される、項目６に記載のシステム。
（項目８）
前記可変半導体レーザシードファイバ増幅源は、あるパルスプロファイル、パルスエネルギー、およびパルス繰り返し率を有するエネルギーを放出するように構成される、項目６に記載のシステム。
（項目９）
前記パルスプロファイル、パルスエネルギー、およびパルス繰り返し率のうちの少なくとも１つは、組織除去率を調節するように制御されることができる、項目８に記載のシステム。
（項目１０）
前記第３の光源が組織に入射すると、前記第３の光源は、前記第２の光源によって凝固された組織の分子結合を破壊するように構成される、項目１に記載のシステム。
（項目１１）
前記第３の光源が組織に入射すると、前記第３の光源は、組織のタンパク質の四次構造を改変するように構成される、項目１に記載のシステム。
（項目１２）
前記第１の光源、前記第２の光源、および前記第３の光源は、同一段階において単一ファイバを通して光を放出する、項目１に記載のシステム。
（項目１３）
前記単一ファイバは、内視鏡または腹腔鏡の構成要素である、項目１２に記載のシステム。
（項目１４）
前記第１の光源、前記第２の光源、および前記第３の光源は、異なる時間において単一ファイバを通して光を放出する、項目１に記載のシステム。
（項目１５）
前記単一ファイバは、内視鏡または腹腔鏡の構成要素である、項目１４に記載のシステム。
（項目１６）
前記第１の光源から取得された信号は、前記第２の光源および前記第３の光源を配向させる、または位置付けるために使用される、項目１に記載のシステム。
（項目１７）
前記第１の光源から取得された信号は、コンピュータプロセッサへの入力である、項目１６に記載のシステム。
（項目１８）
前記コンピュータプロセッサは、前記第２の光源および前記第３の光源の配向または位置を制御するために使用される出力データを提供する、項目１７に記載のシステム。
（項目１９）
前記第２の光源は、血液によって吸収される波長範囲内のエネルギーを放出するレーザである、項目１に記載のシステム。
（項目２０）
前記血液は、オキシヘモグロビン、デオキシヘモグロビン、および水の混合物を含む、項目１９に記載のシステム。
（項目２１）
前記血液は、純粋なオキシヘモグロビンを含むヘモグロビンを含有する、項目１９に記載のシステム。
（項目２２）
前記血液は、純粋なデオキシヘモグロビンを含むヘモグロビンを含有する、項目１９に記載のシステム。
（項目２３）
前記第２の光源は、イッテルビウムファイバレーザである、項目１に記載のシステム。
（項目２４）
前記第２の光源は、周波数が倍加されたイッテルビウムファイバレーザである、項目１に記載のシステム。
（項目２５）
前記第３の光源は、Ｔｍドープファイバ主発振器電力増幅器（ＭＯＰＡ）である、項目１に記載のシステム。
（項目２６）
前記ＴｍドープＭＯＰＡシードレーザは、半導体ダイオードレーザである、項目２５に記載のシステム。
（項目２７）
前記シードレーザは、可変レーザである、項目２５に記載のシステム。
（項目２８）
前記第２の光源は、３５０ｎｍ〜２２００ｎｍの波長範囲内のエネルギーを放出するように構成される、項目１に記載のシステム。
（項目２９）
前記第２の光源は、５３２ｎｍを含む波長範囲内のエネルギーを放出するように構成される、項目１に記載のシステム。
（項目３０）
前記第１の光源は、掃引源光コヒーレンス断層撮影光源として構成される、項目１に記載の装置。
（項目３１）
前記第１の光源は、広帯域光コヒーレンス断層撮影光源として構成される、項目１に記載の装置。
（項目３２）
前記第１の光源は、多重光子発光光源を含む、項目１に記載の装置。
（項目３３）
前記第１の光源は、光コヒーレンス断層撮影光源と、多重光子発光光源とを含む、項目１に記載の装置。
（項目３４）
前記第２の光源は、前記組織の分子結合を実質的に破壊することなく、少なくとも組織タンパク質の四次構造を修正するために十分な振幅および周波数においてエネルギーを放出するように構成される、項目１に記載のシステム。
（項目３５）
前記第３の光源は、組織の分子結合を破壊するために十分な振幅および周波数においてエネルギーを放出するように構成されるレーザである、項目１に記載のシステム。
（項目３６）
システムであって、
撮像光源であって、第１の光源が組織に入射すると、組織を撮像する際に使用するためのデータを提供するように構成される撮像光源と、
凝固光源であって、凝固光が組織に入射すると、組織を凝固させるために前記凝固光を放出するように構成される凝固光源と、
結合破壊光源であって、結合破壊光が組織に入射すると、組織の分子結合を破壊するために前記結合破壊光を放出するように構成される結合破壊光源と、
を備える、システム。
（項目３７）
前記撮像光源は、光コヒーレンス断層撮影光源を含む、項目３６に記載のシステム。
（項目３８）
前記撮像光源は、多重光子発光光源を含む、項目３６に記載のシステム。
（項目３９）
前記撮像光源は、光コヒーレンス断層撮影光源と、多重光子発光光源を含む、項目３６に記載のシステム。
（項目４０）
前記凝固光および前記結合破壊光は、共通光源から発信する、項目３６に記載のシステム。
（項目４１）
前記共通光源は、ダイオードレーザシードファイバ増幅源である、項目４０に記載のシステム。
（項目４２）
前記ダイオードレーザシード増幅源は、１８００ｎｍ〜２２００ｎｍの波長範囲内のエネルギーを放出するように構成される、項目４１に記載のシステム。
（項目４３）
前記ダイオードシードファイバ増幅源は、あるパルスプロファイル、パルスエネルギー、およびパルス繰り返し率を有するエネルギーを放出するように構成される、項目４１に記載のシステム。
（項目４４）
前記パルスプロファイル、パルスエネルギー、およびパルス繰り返し率のうちの少なくとも１つは、組織除去率を調節するように制御されることができる、項目４３に記載のシステム。
（項目４５）
前記共通光源は、可変半導体レーザシードファイバ増幅源である、項目４０に記載のシステム。
（項目４６）
前記可変半導体レーザシードファイバ増幅源は、１８００ｎｍ〜２２００ｎｍの波長範囲内のエネルギーを放出するように構成される、項目４５に記載のシステム。
（項目４７）
前記可変半導体レーザシードファイバ増幅源は、あるパルスプロファイル、パルスエネルギー、およびパルス繰り返し率を有するエネルギーを放出するように構成される、項目４５に記載のシステム。
（項目４８）
前記パルスプロファイル、パルスエネルギー、およびパルス繰り返し率のうちの少なくとも１つは、組織除去率を調節するように制御されることができる、項目４７に記載のシステム。
（項目４９）
前記結合破壊光源が組織に入射すると、前記結合破壊光源は、前記凝固光源によって凝固された組織の分子結合を破壊するように構成される、項目３６に記載のシステム。
（項目５０）
前記凝固光源および前記結合破壊光源は、使用中に同一段階において共通光源から発信する、項目３６に記載のシステム。
（項目５１）
前記凝固光源および前記結合破壊光源は、使用中に異なる時間において共通光源から発信する、項目３６に記載のシステム。
（項目５２）
前記凝固光源および前記結合破壊光源は、別個の光源から発信する、項目３６に記載のシステム。
（項目５３）
組織を操作する方法であって、
組織の第１の部分の初期画像信号を取得するステップであって、第１の光源が、前記組織の第１の部分に入射する、ステップと、
第２の光源を第２の組織部分上に位置付けるステップであって、前記第２の光源は、前記組織の第２の部分を凝固させる、ステップと、
光エネルギーを介して、組織の第３の部分の分子結合を破壊するステップと、
を含む、方法。
（項目５４）
前記第１の光源は、光コヒーレンス断層撮影光源を含む、項目５３に記載の方法。
（項目５５）
前記第１の光源は、多重光子発光光源を含む、項目５３に記載の方法。
（項目５６）
前記第１の光源は、光コヒーレンス断層撮影光源と、多重光子発光光源とを含む、項目５３に記載の方法。
（項目５７）
前記組織の第２の部分は、前記組織の第１の部分と、前記組織の第３の部分とを含む、項目５３に記載の方法。
（項目５８）
前記第２の光源を組織の第２の部分上に位置付けるステップの後、前記組織の第１の部分の分子結合を破壊するステップの前に、前記組織の第１の部分の付加的画像データを取得するステップをさらに含む、項目５３に記載の方法。
（項目５９）
前記組織の第３の部分の分子結合を破壊するために使用される光エネルギーは、第３の光源から放出される、項目５３に記載の方法。
（項目６０）
前記第１の光源、前記第２の光源、および前記第３の光源は、単一ファイバを通して光を放出する、項目６０に記載の方法。
（項目６１）
前記単一ファイバは、内視鏡または腹腔鏡の構成要素である、項目６０に記載の方法。
（項目６２）
前記組織の第３の部分の分子結合を破壊するために使用される光エネルギーは、前記第２の光源から放出される、項目５３に記載の方法。
（項目６３）
組織を修正する方法であって、
光エネルギーを組織の第１の部分に指向させ、前記組織の第１の部分の画像信号を記録するステップと、
光エネルギーを組織の第２の部分に指向させ、前記組織の第２の部分を凝固させるステップと、
光エネルギーを組織の第３の部分に指向させ、前記組織の第３の部分の分子結合を破壊するステップと、
を含む、方法。
（項目６４）
前記光エネルギーを組織の第１の部分に指向させるステップは、光エネルギーを光コヒーレンス断層撮影光源から指向させるステップを含む、項目６３に記載の方法。
（項目６５）
前記光エネルギーを組織の第１の部分に指向させるステップは、光エネルギーを多重光子発光光源から指向させるステップを含む、項目６３に記載の方法。
（項目６６）
前記光エネルギーを組織の第１の部分に指向させるステップは、光エネルギーを光コヒーレンス断層撮影光源および多重光子発光光源から指向させるステップを含む、項目６３に記載の方法。
（項目６７）
前記組織の第２の部分は、前記組織の第１の部分と、前記組織の第３の部分とを含む、項目６３に記載の方法。
（項目６８）
前記組織の第１の部分に指向される光エネルギーは、第１の光源から放出され、前記組織の第２および第３の部分に指向される光エネルギーは、共通光源から発信する、項目６３に記載の方法。
（項目６９）
前記組織の第１の部分に指向される光エネルギーは、第１の光源から放出され、
前記組織の第２の部分に指向される光エネルギーは、第２の光源から放出され、
前記組織の第３の部分に指向される光エネルギーは、第３の光源から放出される、
項目６３に記載の方法。
（項目７０）
組織を修正する方法であって、
第１の光源が組織の第１の部分に入射するように、前記第１の光源を位置付けるステップと、
前記組織の第１の部分の初期画像信号を取得するステップと、
第２の光源が組織の第２の部分に入射するように、前記第２の光源を位置付けるステップであって、前記第２の光源は、前記組織の第２の部分を凝固させる、ステップと、
組織の第３の部分の分子結合を破壊するステップと、
を含む、方法。
（項目７１）
前記第１の光源は、光コヒーレンス断層撮影光源を含む、項目７０に記載の方法。
（項目７２）
前記第１の光源は、多重光子発光光源を含む、項目７０に記載の方法。
（項目７３）
前記第１の光源は、光コヒーレンス断層撮影光源と、多重光子発光光源とを含む、項目７０に記載の方法。
（項目７４）
組織を修正する方法であって、
組織の第１の部分を撮像するステップと、
光エネルギーを用いて組織の第２の部分を凝固させるステップと、
光エネルギーを用いて組織の第３の部分の分子結合を破壊するステップと、
を含む、方法。
（項目７５）
前記組織の第１の部分を撮像するステップは、光エネルギーを光コヒーレンス断層撮影光源から前記組織の第１の部分に指向させるステップを含む、項目７４に記載の方法。
（項目７６）
前記組織の第１の部分を撮像するステップは、光エネルギーを多重光子発光光源から前記組織の第１の部分に指向させるステップを含む、項目７４に記載の方法。
（項目７７）
前記組織の第１の部分を撮像するステップは、光エネルギーを光コヒーレンス断層撮影光源から前記組織の第１の部分に指向させ、光エネルギーを光コヒーレンス断層撮影光源から前記組織の第１の部分に指向させるステップを含む、項目７４に記載の方法。
（項目７８）
前記組織の第１の部分、前記組織の第２の部分、および前記組織の第３の部分は、共通組織を含有する、項目７４に記載の方法。
（項目７９）
前記組織の第１の部分は、前記組織の第２の部分と、前記組織の第３の部分とを含む、項目７４に記載の方法。
（項目８０）
前記組織の第２の部分を凝固させるために使用される光エネルギーおよび前記分子結合を破壊するために使用される光エネルギーは、共通光源から発信する、項目７４に記載の方法。
（項目８１）
前記組織の第２の部分を凝固させるために使用される光エネルギーおよび前記分子結合を破壊するために使用される光エネルギーは、別個の光源から発信する、項目７４に記載の方法。
（項目８２）
システムであって、
第１の光源であって、前記第１の光源が組織に入射すると、組織を撮像する際に使用するためのデータを提供するように構成される第１の光源と、
第２の光源であって、前記第２の光源が組織に入射するときの組織を凝固させるように構成され、その分子結合を破壊するように構成される第２の光源と、
を備える、システム。
（項目８３）
前記第１の光源は、光コヒーレンス断層撮影光源を含む、項目８２に記載のシステム。
（項目８４）
前記第１の光源は、多重光子発光光源を含む、項目８２に記載のシステム。
（項目８５）
前記第１の光源は、光コヒーレンス断層撮影光源と、多重光子発光光源を含む、項目８２に記載のシステム。
（項目８６）
前記第１の光源および前記第２の光源は、同一段階において単一ファイバを通して光を放出するように構成される、項目８２に記載のシステム。
（項目８７）
前記単一ファイバは、内視鏡または腹腔鏡の構成要素である、項目８６に記載のシステム。
（項目８８）
前記第１の光源および前記第２の光源は、異なる時間において単一ファイバを通して光を放出するように構成される、項目８２に記載のシステム。
（項目８９）
前記単一ファイバは、内視鏡または腹腔鏡の構成要素である、項目８６に記載のシステム。
（項目９０）
前記第１の光源から取得されたデータは、前記第２の光源および前記第３の光源を配向させる、または位置付けるために使用される、項目８２に記載のシステム。
（項目９１）
前記第１の光源から取得されたデータは、コンピュータプロセッサへの入力である、項目９０に記載のシステム。
（項目９２）
前記コンピュータプロセッサは、前記第２の光源の配向または位置を制御するために使用される出力データを提供する、項目９１に記載のシステム。
（項目９３）
前記第２の光源は、血液によって吸収される波長範囲内のエネルギーを放出するレーザである、項目８２に記載のシステム。
（項目９４）
前記血液は、オキシヘモグロビン、デオキシヘモグロビン、および水の混合物を含む、項目９３に記載のシステム。
（項目９５）
前記血液は、純粋なオキシヘモグロビンを含む、項目９３に記載のシステム。
（項目９６）
前記血液は、純粋なデオキシヘモグロビンを含む、項目９３に記載のシステム。
（項目９７）
前記第２の光源は、ＴｍドープファイバＭＯＰＡである、項目８２に記載のシステム。
（項目９８）
前記第２の光源は、可変ＴｍドープファイバＭＯＰＡである、項目８２に記載のシステム。
（項目９９）
前記第２の光源は、１９４０ｎｍを含む波長範囲内のエネルギーを放出するように構成される、項目８２に記載のシステム。
（項目１００）
前記第２の光源は、４５０ｎｍ〜２２００ｎｍの波長範囲内のエネルギーを放出するように構成される、項目８２に記載のシステム。
（項目１０１）
前記第１の光源は、掃引源光コヒーレンス断層撮影光源として構成される、項目８２に記載のシステム。
（項目１０２）
前記第１の光源は、広帯域光コヒーレンス断層撮影光源として構成される、項目８２に記載のシステム。
（項目１０３）
前記第２の光源は、少なくとも組織タンパク質の四次構造を修正するために十分かつ前記組織の分子結合を破壊するために十分な振幅および周波数においてエネルギーを放出するように構成される、項目８２に記載のシステム。
（項目１０４）
組織処理システムであって、
組織試料を受容するように構成される、真空補助下処理チャンバと、
前記組織試料を前記真空補助下処理チャンバ内に位置付けるように構成される、第１の微小位置アクチュエータと、
前記組織試料を前記真空補助下処理チャンバ内に位置付けるように構成される、第２の微小位置アクチュエータと、
前記真空補助下処理チャンバ内の前記組織試料の一部を除去するように構成される、レーザと、
を備える、組織処理システム。
（項目１０５）
前記レーザは、フェムト秒パルスレーザである、項目１０４に記載の組織処理システム。
（項目１０６）
前記第１の微小位置アクチュエータおよび前記第２の微小位置アクチュエータは、相互に直交する、項目１０４に記載の組織処理システム。
（項目１０７）
前記組織処理チャンバは、リン酸緩衝食塩水を備える、項目１０４に記載の組織処理システム。
（項目１０８）
前記組織処理チャンバは、光学的に透明なウィンドウを備える、項目１０４に記載の組織処理システム。
（項目１０９）
前記組織処理チャンバは、使い捨てである、項目１０４に記載の組織処理システム。
（項目１１０）
前記組織処理チャンバは、前記第１の微小位置アクチュエータの係合のための水密シールを形成するために、第１の自己シール隔壁を備え、
前記組織処理チャンバは、前記第２の微小位置アクチュエータの係合のための水密シールを形成するために、第２の自己シール隔壁を備える、
項目１０４に記載の組織処理システム。
（項目１１１）
前記第１の微小位置アクチュエータは、前記第１の自己シール隔壁を穿刺するように構成される針を備え、
前記第２の微小位置アクチュエータは、前記第２の自己シール隔壁を穿刺するように構成される針を備える、
項目１１０に記載の組織処理システム。
（項目１１２）
前記第１の微小位置アクチュエータは、第１のステッパモータに結合され、
前記第２の微小位置アクチュエータは、第２のステッパモータに結合される、
項目１０４に記載の組織処理システム。
（項目１１３）
前記第１および第２のステッパモータは、前記真空補助下処理チャンバ内で組織試料を回転させるように動作されることができる、項目１１２に記載の組織処理システム。
（項目１１４）
組織を分析するための方法であって、
真空補助下器具を介して検体から組織試料を採取するステップと、
前記組織試料を正圧流体チャネルを通して組織処理チャンバに輸送するステップと、
前記組織試料からある切片を切断するステップと、
前記切片に多重光子発光−光コヒーレンス断層撮影（ＭＰＬ−ＯＣＴ）光学アッセイを実施するステップと、
前記ＭＰＬ−ＯＣＴ光学アッセイからのデータを処理するステップと、
を含む、方法。
（項目１１５）
前記組織試料を採取するステップと前記ＭＰＬ−ＯＣＴ光学アッセイからのデータを処理するステップとの間で経過する時間は、５分を下回る、項目１１４に記載の方法。
（項目１１６）
フィールドプログラマブルゲートアレイ（ＦＰＧＡ）が、前記ＭＰＬ−ＯＣＴ光学アッセイから処理する、項目１１４に記載の方法。
（項目１１７）
前記ＭＰＬ−ＯＣＴ光学アッセイからのデータを処理するステップは、前記組織試料の切片内に腫瘍マージンを確立するステップを含む、項目１１４に記載の方法。
（項目１１８）
前記腫瘍マージンを確立するステップは、前記切片の第１の画像および前記切片の第２の画像をオーバーレイするステップを含む、項目１１７に記載の方法。
（項目１１９）
前記切片は、約５００μｍの厚さである、項目１１４に記載の方法。
（項目１２０）
前記ＭＰＬ−ＯＣＴ光学アッセイは、前記切片の第１の側および前記切片の第２の側に実施される、項目１１４に記載の方法。
（項目１２１）
前記組織試料は、体積が１．０〜４．０立方ミリメートルである、項目１１４に記載の方法。
（項目１２２）
前記真空補助下器具は、メスに統合される、項目１１４に記載の方法。
（項目１２３）
前記真空補助下器具は、焼灼器に統合される、項目１１４に記載の方法。